(57)【要約】【課題】手動排出時に異物侵入を防止し、ドレン弁故障時に確実にエアー漏れを閉止することができ、自動排出モード、手動排出モード及び閉止モードの３つのモードの切り換えが容易に行えるフロート式ドレントラップを提供すること。【解決手段】ドレン弁１４を内部に収容したバルブボディ３を、その上部側を、異物侵入防止網１１を介して、ドレンケース１内に連通するように、その下部側をドレンケース１の下方に連ねて設けたドレンボディ２内に位置するように設け、バルブボディ３に、異物侵入防止網１１を介して、ドレンケース１内に連通する、ドレン弁１４を迂回するドレン迂回流路３１を形成し、ドレンボディ２内に収容したドレンピストン７の昇降動作により、自動排出モード、手動排出モード及び閉止モードの３つのモードに切り換えることができるようにする。【選択図】図１
2019002414.tif 000002
【特許請求の範囲】
【請求項１】
ドレンケース内に貯まったドレンの排出を制御するドレン弁を、シリンダ内に収容したピストンに付設するとともに、該ピストンにパイロット空気圧を作用させることによりドレン弁の開閉を行うパイロット弁機構を設け、フロートの昇降動作によりパイロット弁機構のパイロット弁の開閉を行うようにしたフロート式ドレントラップにおいて、前記ドレン弁を内部に収容したバルブボディを、その上部側を、異物侵入防止網を介して、ドレンケース内に連通するように、その下部側をドレンケースの下方に連ねて設けたドレンボディ内に位置するように設け、該バルブボディに、異物侵入防止網を介して、ドレンケース内に連通する、ドレン弁を迂回するドレン迂回流路を形成し、ドレンボディ内に収容したドレンピストンの昇降動作により、ドレン弁を介して行うドレンの自動排出モード、ドレン迂回流路を介して行うドレンの手動排出モード及び閉止モードの３つのモードに切り換えることができるようにしたことを特徴とするフロート式ドレントラップ。
【請求項２】
前記ドレンピストンと係合する偏心シャフトを備えたシャフトホルダをレバーによって回転操作することによって、ドレンピストンの昇降動作を行うようにしたことを特徴とする請求項１に記載のフロート式ドレントラップ。
【発明の詳細な説明】
【技術分野】
【０００１】
本発明は、圧縮空気中のドレンを自動排出するために用いるフロート式ドレントラップに関するものである。
【背景技術】
【０００２】
従来より、圧縮空気中のドレンを排出するために、フロート式ドレントラップが汎用されている（例えば、特許文献１参照。）。
ところで、図８（ａ）に示すような、フロート式ドレントラップにおいて、ドレンを手動で排出する場合、図８（ｂ）に示すように、バルブボディ３を下から押し上げることにより、ドレンケース１とバルブボディ３との間に隙間を形成し、バルブボディ３の導通孔３０を通して、ドレンを矢印で示す流路に沿って排出するようにしたものがある。
【０００３】
しかしながら、このドレンの手動排出方式では、ドレンケース１の下部に導通孔３０があり、排出されるドレンが異物侵入防止網１１を通らないため、異物が侵入しやすい。
そのため、シールパッキン１８に異物が付着しやすく、バルブボディ３の押し上げを解除してドレンの排出を停止しても、異物の噛み込みによるドレン漏れなどのトラブルが発生するという問題があった。
また、排出ポート２１にストップバルブを取り付けた場合も、同様に異物の噛み込みによるドレン漏れが発生するという問題があった。
【０００４】
また、従来のフロート式ドレントラップのドレンの手動排出方式は、バルブボディ３を下から押し上げることにより行われるが、ドレンケース１の内部は圧力が掛かっているため、素手で押し上げるには大きな力が必要となるという問題があった。
【０００５】
さらに、従来のフロート式ドレントラップでは、ドレン漏れが発生した際、緊急的に閉止させる構造や手段がないため、排出ポート２１に、別途、ストップバルブを取り付けなければならなかった。
【先行技術文献】
【特許文献】
【０００６】
【特許文献１】特開２００７−１６８７７号公報
【発明の概要】
【発明が解決しようとする課題】
【０００７】
本発明は、上記従来のフロート式ドレントラップが有する問題点に鑑み、手動排出時に異物侵入を防止でき、異物の噛み込みによる漏れを防ぐことができ、故障をなくすことができ、かつ、自動排出モード、手動排出モード及び閉止モードの３つのモードの切り換えが容易に行えるフロート式ドレントラップを提供することを第１の目的とする。
【０００８】
また、本発明は、前記３つのモードの切り換えを、簡易な機構で、小さな力で行えるフロート式ドレントラップを提供することを第２の目的とする。
【課題を解決するための手段】
【０００９】
上記第１の目的を達成するため、本発明のフロート式ドレントラップは、ドレンケース内に貯まったドレンの排出を制御するドレン弁を、シリンダ内に収容したピストンに付設するとともに、該ピストンにパイロット空気圧を作用させることによりドレン弁の開閉を行うパイロット弁機構を設け、フロートの昇降動作によりパイロット弁機構のパイロット弁の開閉を行うようにしたフロート式ドレントラップにおいて、前記ドレン弁を内部に収容したバルブボディを、その上部側を、異物侵入防止網を介して、ドレンケース内に連通するように、その下部側をドレンケースの下方に連ねて設けたドレンボディ内に位置するように設け、該バルブボディに、異物侵入防止網を介して、ドレンケース内に連通する、ドレン弁を迂回するドレン迂回流路を形成し、ドレンボディ内に収容したドレンピストンの昇降動作により、ドレン弁を介して行うドレンの自動排出モード、ドレン迂回流路を介して行うドレンの手動排出モード及び閉止モードの３つのモードに切り換えることができるようにしたことを特徴とする。
【００１０】
この場合において、上記第２の目的を達成するため、前記ドレンピストンと係合する偏心シャフトを備えたシャフトホルダをレバーによって回転操作することによって、ドレンピストンの昇降動作を行うようにすることができる。
【発明の効果】
【００１１】
本発明のフロート式ドレントラップによれば、ドレン弁を内部に収容したバルブボディを、その上部側を、異物侵入防止網を介して、ドレンケース内に連通するように、その下部側をドレンケースの下方に連ねて設けたドレンボディ内に位置するように設け、該バルブボディに、異物侵入防止網を介して、ドレンケース内に連通する、ドレン弁を迂回するドレン迂回流路を形成し、ドレンボディ内に収容したドレンピストンの昇降動作により、ドレン弁を介して行うドレンの自動排出モード、ドレン迂回流路を介して行うドレンの手動排出モード及び閉止モードの３つのモードに切り換えることができるようにすることにより、手動排出時に異物侵入を防止でき、異物の噛み込みによる漏れを防ぐことができ、故障をなくすことができる。
【００１２】
また、ドレンピストンと係合する偏心シャフトを備えたシャフトホルダをレバーによって回転操作することによって、ドレンピストンの昇降動作を行うようにすることにより、前記３つのモードの切り換えを、簡易な機構で、小さな力で行うことができる。
【図面の簡単な説明】
【００１３】
【図１】本発明のフロート式ドレントラップの一実施例を示す側面から見た断面図である。
【図２】同フロート式ドレントラップのレバー、シャフトホルダ及び偏心シャフトを示し、（ａ）は側面図、（ｂ）は底面図である。
【図３】同フロート式ドレントラップのドレンピストンを示し、（ａ）は正面図、（ｂ）は側面図である。
【図４】同フロート式ドレントラップの概略正面図である。
【図５】同フロート式ドレントラップの自動運転モード時における正面から見た断面図で、（ａ）はドレンの非排出時、（ｂ）はドレンの排出時（ドレンの流れを示す説明図）を示す。
【図６】同フロート式ドレントラップの閉止モード時における正面から見た断面図である。
【図７】同フロート式ドレントラップの手動排出モード時における正面から見た断面図で、（ａ）は全体図、（ｂ）はドレンの流れを示す要部の説明図である。ある。
【図８】従来のフロート式ドレントラップを示す正面から見た断面図で、（ａ）は全体図、（ｂ）は手動排出モード時におけるドレンの流れを示す要部の説明図である。
【発明を実施するための形態】
【００１４】
以下、本発明のフロート式ドレントラップの実施の形態を、図面に基づいて説明する。
【００１５】
図１〜図７に、本発明のフロート式ドレントラップの一実施例を示す。
このフロート式ドレントラップは、ドレンケース１内に貯まったドレンの排出を制御するドレン弁１４を、シリンダ１６内に収容したピストン１５に付設するとともに、ピストン１５にパイロット空気圧を作用させることによりドレン弁１４の開閉を行うパイロット弁機構９を設け、フロート８の昇降動作によりパイロット弁機構９のパイロット弁９０の開閉を行うようにしたフロート式ドレントラップにおいて、ドレン弁１４を内部に収容したバルブボディ３を、その上部側を、異物侵入防止網１１を介して、ドレンケース１内に連通するように、その下部側をドレンケース１の下方に連ねて設けたドレンボディ２内に位置するように設け、バルブボディ３に、異物侵入防止網１１を介して、ドレンケース１内に連通する、ドレン弁１４を迂回するドレン迂回流路３１を形成し、ドレンボディ２内に収容したドレンピストン７の昇降動作により、ドレン弁１４を介して行うドレンの自動排出モード、ドレン迂回流路３１を介して行うドレンの手動排出モード及び閉止モードの３つのモードに切り換えることができるようにしている。
【００１６】
そして、ドレンピストン７には、ドレンピストン７に形成したシャフト挿入穴７２と係合する偏心シャフト６を備えたシャフトホルダ５をレバー４によって回転操作することによって、ドレンピストン７の昇降動作を行うことができるようにしている。
【００１７】
図４は、このフロート式ドレントラップを正面から見た図である。
正面に取り付けられている、レバー４を回転させることで、ドレンの手動排出、自動排出及び閉止に切り換えることができる。具体的には、レバー４が中央時は自動排出、左に回転させると閉止、右に回転させると手動排出となっている。また、レバー４は小さな力で回すことが可能なため、ドレンの排出管理が非常に容易となる。
【００１８】
図５の状態は、レバー４が中央時のドレンの自動排出モードとなる。
このとき、レバー４は中立状態で、バルブボディ３の内面とドレンピストン７に設けられたシールパッキン１２が密着し、シールされた状態にあり、バルブボディ３の内面とドレンピストン７に設けられたシールパッキン１３が離れ、シールが失われた状態にある。
図５（ａ）のドレン弁１４が開状態にあるドレンの非排出時から、ドレンケース１内にドレンが一定量貯まると、図５（ｂ）のドレンの排出時（ドレンの流れを示す説明図）に示すように、フロート８が浮き上がり、パイロット弁機構９のパイロット弁９０が持ち上げられることによって、弁座９１が開き、ドレンケース１内の圧縮空気が、異物侵入防止網９３を介して、排気管９２を通ってシリンダ１６内に流れ込む。これにより、ばね１７の付勢力に抗してシリンダ１６内に上方に位置していたピストン１５が、下方に移動し、これに合わせて、ピストン１５に付設されているドレン弁１４も、下方に移動する。
これにより、ドレン弁１４が開状態となり、ドレンケース１内のドレンが、異物侵入防止網１１を介して、ドレンピストン７に形成された連通路７１を通って、ドレンボディ２の排出ポート２１より排出される。
ここで、ドレンケース１内のドレンが排出されると、フロート８が下がり、パイロット弁機構９のパイロット弁９０が下がることによって、弁座９１が閉じ、圧縮空気とばね１７の付勢力とのバランスで、シリンダ１６内に下方に位置していたピストン１５が、上方に移動し、これに合わせて、ピストン１５に付設されているドレン弁１４も、上方に移動する。
これにより、ドレン弁１４が閉状態となり、図５（ａ）のドレンの非排出時の状態に復帰する。
【００１９】
図６の状態は、レバー４を左に回転させた、ドレンの閉止モードとなる。
レバー４を左に回転操作することにより、シャフトホルダ５の偏心シャフト６により、ドレンピストン７に形成したシャフト挿入穴７２を介して、ドレンピストン７が上方向に移動し、バルブボディ３の内面とドレンピストン７に設けられたシールパッキン１２及びシールパッキン１３が密着し、シールされる。
これにより、図５（ｂ）に示すように、ドレンケース１内にドレンが一定量貯まってフロート８が浮き上がり、パイロット弁機構９のパイロット弁９０が持ち上げられることによって、パイロット弁機構９が動作して、ドレン弁１４が開状態となっても、バルブボディ３の内面とドレンピストン７に設けられたシールパッキン１２及びシールパッキン１３が密着し、シールされているため、ドレンケース１内にドレンは、この位置で止められ、ドレンボディ２の排出ポート２１より排出されることはない。
【００２０】
図７の状態は、レバー４を右に回転させた、ドレンの手動排出モードとなる。
レバー４を右に回転操作することにより、シャフトホルダ５の偏心シャフト６により、ドレンピストン７に形成したシャフト挿入穴７２を介して、ドレンピストン７が下方向に移動し、バルブボディ３の内面とドレンピストン７に設けられたシールパッキン１２及びシールパッキン１３が離れ、シールが失われる。
これにより、ドレンケース１内のドレンは、異物侵入防止網１１を介して、ドレン弁を迂回するドレン迂回流路を構成する、バルブボディ３に形成した導通孔３１及びバルブボディ３の外周面とドレンボディ２の内周面との隙間、さらに、ドレンピストン７に形成された連通路７１を通って、ドレンボディ２の排出ポート２１より排出される。
【００２１】
ドレン弁１４を介して行うドレンの自動排出モード及びドレン迂回流路３１を介して行うドレンの手動排出モードの２モードにおいて、ドレンケース１内のドレンは必ず異物侵入防止網１１を介してドレンボディ２の排出ポート２１より排出されるため、ドレンの手動排出モードにおける手動排出時に異物侵入を防止でき、異物の噛み込みによる漏れを防ぐことができ、故障をなくすことができる。
【００２２】
また、ドレンピストン７に形成したシャフト挿入穴７２と係合する偏心シャフト６を備えたシャフトホルダ５をレバー４によって回転操作することによって、ドレンピストン７の昇降動作を行うようにすることにより、３つのモードの切り換えを、簡易な機構で、小さな力で行うことができる。
【００２３】
以上、本発明のフロート式ドレントラップについて、その実施例に基づいて説明したが、本発明は上記実施例に記載した構成に限定されるものではなく、その趣旨を逸脱しない範囲において適宜その構成を変更することができる。
【産業上の利用可能性】
【００２４】
以上、本発明のフロート式ドレントラップは、手動排出時に異物侵入を防止でき、異物の噛み込みによる漏れを防ぐことができ、故障をなくすことができ、かつ、自動排出モード、手動排出モード及び閉止モードの３つのモードの切り換えが容易に行えることから、フロート式ドレントラップの用途に好適に用いることができる。
【符号の説明】
【００２５】
１  ドレンケース
２  ドレンボディ
２１  排出ポート
３  バルブボディ
３１  導通孔（ドレン迂回流路）
４  レバー
５  シャフトホルダ
６  偏心シャフト
７  ドレンピストン
７１  連通路
７２  シャフト挿入穴
８  フロート
９  パイロット弁機構
９０  パイロット弁
９１  弁座
９２  排気管
９３  異物侵入防止網
１１  異物侵入防止網
１２  シールパッキン
１３  シールパッキン
１４  ドレン弁
１５  ピストン
１６  シリンダ
１７  ばね
１８  シールパッキン
【図１】
2019002414.tif 000003
【図２】
2019002414.tif 000004
【図３】
2019002414.tif 000005
【図４】
2019002414.tif 000006
【図５】
2019002414.tif 000007
【図６】
2019002414.tif 000008
【図７】
2019002414.tif 000009
【図８】
2019002414.tif 000010